(57)【要約】  【課題】  詐欺事件や現金強奪事件が発生しにくく、経理上の透明性が高い景品交換システムを提供する。  【解決手段】  複数のパチンコ店と景品管理センター10を通信回線12で結ぶ。景品管理センターのサーバー14には、ＩＤカード登録手段16、ＩＤカード確認手段18、ＩＤカード別金量管理口座20、店別金量管理口座22を設ける。各パチンコ店には、ＩＤカードに獲得玉数を記録する玉数記録手段26、玉数を金と交換する景品交換手段28、金を現金と交換する景品売却端末30を設ける。サーバー14は、景品交換のときは、玉数と交換した金量をＩＤカード配布店の店別金量管理口座22から差し引いて、当該ＩＤカードのＩＤカード別金量管理口座20に加える処理を行う。景品売却のときは、売却金量を当該ＩＤカードのＩＤカード別金量管理口座20から差し引く処理を行う。景品売却端末30は、サーバーから売却金額を受信して、その額の現金を顧客に支払う処理を行う。【選択図】    図１
2006263267.tif 000002
【特許請求の範囲】
【請求項１】
複数の遊技店に設置された端末と、景品管理センターに設置されたサーバーとを通信回線で結び、
前記サーバーには、「各遊技店が顧客に配布したＩＤカードの登録事項を登録するＩＤカード登録手段」と、「ＩＤカードが登録されたものであることを確認するＩＤカード確認手段」と、「前記ＩＤカード別の保有貴金属量を管理するＩＤカード別貴金属量管理口座」と、「遊技店別の保有貴金属量を管理する店別貴金属量管理口座」とを設け、
前記各遊技店の端末には、「ＩＤカード所有者が獲得した玉数を当該ＩＤカードに記録する玉数記録端末」と、「ＩＤカード所有者が当該ＩＤカードに記録された玉数の全部又は一部をそれに応じた量の貴金属と交換する景品交換端末」と、「ＩＤカード所有者がＩＤカード別貴金属量管理口座に保有する貴金属量の全部又は一部をそれに応じた額の現金と交換する景品売却端末」とを設け、
前記サーバーは、前記遊技店の景品交換端末からＩＤカードの登録事項と交換玉数を受信したときは、「ＩＤカード確認手段により当該ＩＤカードが登録されたものであることを確認した上で、その玉数を貴金属量に変換して当該景品交換端末に送信すると共に、変換された貴金属量を当該ＩＤカード配布店の店別貴金属量管理口座から差し引いて、当該ＩＤカードのＩＤカード別貴金属量管理口座に加える処理」を行い、前記遊技店の景品売却端末からＩＤカードの登録事項と売却貴金属量を受信したときは、「ＩＤカード確認手段により当該ＩＤカードが登録されたものであることを確認した上で、売却貴金属量の売却金額を計算して当該景品売却端末に送信すると共に、売却貴金属量を当該ＩＤカードのＩＤカード別貴金属量管理口座から差し引く処理」を行い、
前記景品売却端末は、前記サーバーから売却金額を受信したときは、その額の現金を顧客に支払う処理を行う、
ことを特徴とする景品交換システム。
【請求項２】
複数の遊技店に設置された端末と、景品管理センターに設置されたサーバーとを通信回線で結び、
前記サーバーには、「各遊技店が顧客に配布したＩＤカードの登録事項を登録するＩＤカード登録手段」と、「ＩＤカードが登録されたものであることを確認するＩＤカード確認手段」と、前記「ＩＤカード別の保有玉数を管理するＩＤカード別玉数管理口座」と、「前記ＩＤカード別の保有貴金属量を管理するＩＤカード別貴金属量管理口座」と、「遊技店別の保有貴金属量を管理する店別貴金属量管理口座」とを設け、
前記各遊技店の端末には、「ＩＤカード所有者が獲得した玉数をサーバーのＩＤカード別玉数管理口座に記録する玉数記録端末」と、「ＩＤカード所有者がＩＤカード別玉数管理口座に保有する玉数の全部又は一部をそれに応じた量の貴金属と交換する景品交換端末」と、「ＩＤカード所有者がＩＤカード別貴金属量管理口座に保有する貴金属量の全部又は一部をそれに応じた額の現金と交換する景品売却端末」とを設け、
前記サーバーは、前記遊技店の玉数記録端末からＩＤカードの登録事項と獲得玉数を受信したときは、「ＩＤカード確認手段により当該ＩＤカードが登録されたものであることを確認した上で、その玉数を当該ＩＤカードのＩＤカード別玉数管理口座に加算する処理」を行い、前記遊技店の景品交換端末からＩＤカードの登録事項と交換玉数を受信したときは、「ＩＤカード確認手段により当該ＩＤカードが登録されたものであることを確認した上で、その玉数を貴金属量に変換して当該景品交換端末に送信すると共に、変換された貴金属量を当該ＩＤカード配布店の店別貴金属量管理口座から引き出して、当該ＩＤカードのＩＤカード別貴金属量管理口座に加算する処理」を行い、前記遊技店の景品売却端末からＩＤカードの登録事項と売却貴金属量を受信したときは、「ＩＤカード確認手段により当該ＩＤカードが登録されたものであることを確認した上で、売却貴金属量の売却金額を計算して当該景品売却端末に送信すると共に、売却貴金属量を当該ＩＤカードのＩＤカード別貴金属量管理口座から引き出す処理」を行い、
前記景品売却端末は、前記サーバーから売却金額を受信したときは、その額の現金を顧客に支払う処理を行う、
ことを特徴とする景品交換システム。
【請求項３】
請求項１又は２記載の景品交換システムであって、サーバーが玉数を貴金属量に変換するとき及び売却貴金属量の売却金額を計算するときは、貴金属市場の相場を参照することを特徴とする景品交換システム。
【請求項４】
請求項１又は２記載の景品交換システムであって、サーバーには、「景品管理センターが保有する貴金属量を管理するセンター貴金属量管理口座」をさらに設け、サーバーが、「前記売却貴金属量を当該ＩＤカードのＩＤカード別貴金属量管理口座から引き出す処理」を行ったときは、その後に、「その売却貴金属量を前記センター貴金属量管理口座に加算する処理」と、「加算された貴金属量を前記センター貴金属量管理口座から引き出す処理」と、「引き出された貴金属量を当該ＩＤカード配布店の店別貴金属量管理口座に加算する処理」を行うことを特徴とする景品交換システム。
【請求項５】
請求項１又は２記載の景品交換システムであって、サーバーが、「前記売却貴金属量を当該ＩＤカードのＩＤカード別貴金属量管理口座から引き出す処理」を行ったときは、その後に、「引き出された貴金属量を当該ＩＤカード配布店の店別貴金属量管理口座に加算する処理」を行うことを特徴とする景品交換システム。
【請求項６】
請求項１ないし５のいずれかに記載の景品交換システムであって、景品貴金属として金を使用することを特徴とする景品交換システム。
【請求項７】
請求項１記載の景品交換システムであって、玉数記録端末は、ＩＤカード所有者がＩＤカードに記録された玉数の全部又は一部を引き出すときには、ＩＤカードに記録された玉数から引き出し玉数を差し引く処理を行うことを特徴とする景品交換システム。
【請求項８】
請求項２記載の景品交換システムであって、サーバーのＩＤカード別玉数管理口座は、遊技店の玉数記録端末からＩＤカードの登録事項と引出玉数を受信したときは、ＩＤカード確認手段により当該ＩＤカードが登録されたものであることを確認した上で、その玉数を当該ＩＤカードのＩＤカード別玉数管理口座から差し引く処理を行うことを特徴とする景品交換システム。
【発明の詳細な説明】
【技術分野】
【０００１】
本発明は、パチンコ、パチスロ等における景品交換システムに関し、特に換金可能な景品として貴金属を使用した景品交換システムに関するものである。
【背景技術】
【０００２】
パチンコ店やスロット店等の遊技店では、顧客が玉（メダルを含む）を獲得したときは、玉数に応じた景品と交換できる。景品にはチョコレートやたばこのような一般景品と、換金可能な特殊景品とがある。特殊景品は所定の景品交換所に持参すれば現金と交換できるので、顧客の人気が高い。しかし特殊景品は景品交換所で簡単に現金化できるため、偽造による詐欺事件が発生しやすい。また景品交換所には多額の現金が用意されているため、現金強奪事件が発生しやすい。
【０００３】
この問題の解決策として、遊技店は特殊景品として偽造の困難なＩＣカードや光カードを発行し、顧客はそのカードを自動現金支払機に挿入することで、現金の支払いを受けるというシステムが提案されている（特許文献１）。
【０００４】
【特許文献１】特開平９−２２０３４２号公報
【発明の開示】
【発明が解決しようとする課題】
【０００５】
しかし、ＩＣカードや光カードは単なるデータ記録媒体であり、顧客が獲得した玉数に対応する経済的価値がないため、特殊景品としては問題がある。またＩＣカードや光カードのデータ書き込みや消去を遊技店が行う方式であるため、経理上の透明性が低く、不正行為が行われる可能性は残る。
【０００６】
本発明の目的は、ＩＣカードや光カードそのものを特殊景品とするのではなく、ＩＤカードや光カードを顧客のＩＤカードとして遊技店とは別に設けた景品管理センターに登録しておき、一方、特殊景品には貴金属を使用して、特殊景品の経済的価値を保証することで、詐欺事件や現金強奪事件が発生しにくく、しかも経理上の透明性を高めることができる景品交換システムを提供することにある。
【課題を解決するための手段】
【０００７】
本発明に係る景品交換システムは、複数の遊技店に設置された端末と、景品管理センターに設置されたサーバーとを通信回線で結び、
前記サーバーには、「各遊技店が顧客に配布したＩＤカードの登録事項を登録するＩＤカード登録手段」と、「ＩＤカードが登録されたものであることを確認するＩＤカード確認手段」と、「前記ＩＤカード別の保有貴金属量を管理するＩＤカード別貴金属量管理口座」と、「遊技店別の保有貴金属量を管理する店別貴金属量管理口座」とを設け、
前記各遊技店の端末には、「ＩＤカード所有者が獲得した玉数を当該ＩＤカードに記録する玉数記録端末」と、「ＩＤカード所有者が当該ＩＤカードに記録された玉数の全部又は一部をそれに応じた量の貴金属と交換する景品交換端末」と、「ＩＤカード所有者がＩＤカード別貴金属量管理口座に保有する貴金属量の全部又は一部をそれに応じた額の現金と交換する景品売却端末」とを設け、
前記サーバーは、前記遊技店の景品交換端末からＩＤカードの登録事項と交換玉数を受信したときは、「ＩＤカード確認手段により当該ＩＤカードが登録されたものであることを確認した上で、その玉数を貴金属量に変換して当該景品交換端末に送信すると共に、変換された貴金属量を当該ＩＤカード配布店の店別貴金属量管理口座から差し引いて、当該ＩＤカードのＩＤカード別貴金属量管理口座に加える処理」を行い、前記遊技店の景品売却端末からＩＤカードの登録事項と売却貴金属量を受信したときは、「ＩＤカード確認手段により当該ＩＤカードが登録されたものであることを確認した上で、売却貴金属量の売却金額を計算して当該景品売却端末に送信すると共に、売却貴金属量を当該ＩＤカードのＩＤカード別貴金属量管理口座から差し引く処理」を行い、
前記景品売却端末は、前記サーバーから売却金額を受信したときは、その額の現金を顧客に支払う処理を行う、
ことを特徴とするものである。
【０００８】
また本発明び係る景品交換システムは、複数の遊技店に設置された端末と、景品管理センターに設置されたサーバーとを通信回線で結び、
前記サーバーには、「各遊技店が顧客に配布したＩＤカードの登録事項を登録するＩＤカード登録手段」と、「ＩＤカードが登録されたものであることを確認するＩＤカード確認手段」と、「前記ＩＤカード別の保有玉数を管理するＩＤカード別玉数管理口座」と、「前記ＩＤカード別の保有貴金属量を管理するＩＤカード別貴金属量管理口座」と、「遊技店別の保有貴金属量を管理する店別貴金属量管理口座」とを設け、
前記各遊技店の端末には、「ＩＤカード所有者が獲得した玉数をサーバーのＩＤカード別玉数管理口座に記録する玉数記録端末」と、「ＩＤカード所有者がＩＤカード別玉数管理口座に保有する玉数の全部又は一部をそれに応じた量の貴金属と交換する景品交換端末」と、「ＩＤカード所有者がＩＤカード別貴金属量管理口座に保有する貴金属量の全部又は一部をそれに応じた額の現金と交換する景品売却端末」とを設け、
前記サーバーは、前記遊技店の玉数記録端末からＩＤカードの登録事項と獲得玉数を受信したときは、「ＩＤカード確認手段により当該ＩＤカードが登録されたものであることを確認した上で、その玉数を当該ＩＤカードのＩＤカード別玉数管理口座に加算する処理」を行い、前記遊技店の景品交換端末からＩＤカードの登録事項と交換玉数を受信したときは、「ＩＤカード確認手段により当該ＩＤカードが登録されたものであることを確認した上で、その玉数を貴金属量に変換して当該景品交換端末に送信すると共に、変換された貴金属量を当該ＩＤカード配布店の店別貴金属量管理口座から引き出して、当該ＩＤカードのＩＤカード別貴金属量管理口座に加算する処理」を行い、前記遊技店の景品売却端末からＩＤカードの登録事項と売却貴金属量を受信したときは、「ＩＤカード確認手段により当該ＩＤカードが登録されたものであることを確認した上で、売却貴金属量の売却金額を計算して当該景品売却端末に送信すると共に、売却貴金属量を当該ＩＤカードのＩＤカード別貴金属量管理口座から引き出す処理」を行い、
前記景品売却端末は、前記サーバーから売却金額を受信したときは、その額の現金を顧客に支払う処理を行う、
ことを特徴とするものであってもよい。
【０００９】
また本発明に係る景品交換システムにおいて、サーバーが玉数を貴金属量に変換するとき及び売却貴金属量の売却金額を計算するときは、貴金属市場の相場を参照することが好ましい。
【００１０】
また本発明に係る景品交換システムにおいて、サーバーには、「景品管理センターが保有する貴金属量を管理するセンター貴金属量管理口座」をさらに設け、サーバーが、「前記売却貴金属量を当該ＩＤカードのＩＤカード別貴金属量管理口座から引き出す処理」を行ったときは、その後に、「その売却貴金属量を前記センター貴金属量管理口座に加算する処理」と、「加算された貴金属量を前記センター貴金属量管理口座から引き出す処理」と、「引き出された貴金属量を当該ＩＤカード配布店の店別貴金属量管理口座に加算する処理」を行うことが好ましい。
【００１１】
また本発明に係る景品交換システムにおいて、サーバーが、「前記売却貴金属量を当該ＩＤカードのＩＤカード別貴金属量管理口座から引き出す処理」を行ったときは、その後に、「引き出された貴金属量を当該ＩＤカード配布店の店別貴金属量管理口座に加算する処理」を行うようにすることもできる。
【００１２】
また本発明に係る景品交換システムにおいて、景品貴金属として金を使用することが好ましい。
【００１３】
また本発明に係る景品交換システムにおいて、玉数記録端末は、ＩＤカード所有者がＩＤカードに記録された玉数の全部又は一部を引き出すときには、ＩＤカードに記録された玉数から引き出し玉数を差し引く処理を行うようにすればよい。
【００１４】
また本発明に係る景品交換システムにおいて、サーバーのＩＤカード別玉数管理口座は、遊技店の玉数記録端末からＩＤカードの登録事項と引出玉数を受信したときは、ＩＤカード確認手段により当該ＩＤカードが登録されたものであることを確認した上で、その玉数を当該ＩＤカードのＩＤカード別玉数管理口座から差し引く処理を行うようにすればよい。
【発明の効果】
【００１５】
本発明によれば、景品としての貴金属は景品管理センターで一括管理されるため、景品に貴金属を使用しても強奪されるおそれは少ない。また景品貴金属の売却（換金）は自動現金支払機で行えるため、現金強奪の危険性も少ない。また顧客に配布したＩＤカードは景品管理センターのサーバーに暗唱番号等の本人確認事項と共に登録されており、景品交換、景品売却の際には、登録されたＩＤカードであることを確認するので、ＩＤカードの偽造による詐欺事件を少なくすることができる。さらに景品交換、景品売却は遊技店と景品管理センターとの間のデータ処理で行われるため、総計金額も明らかになり、経理上の透明性が高まる。
【００１６】
また本発明によれば、複数の遊技店の景品交換、景品買取を一括して行うニュービジネスを創生することができると共に、遊技店の人員削減など経営効率を向上させることができる。
【発明を実施するための最良の形態】
【００１７】
〔実施形態１〕
図１は本発明の一実施形態を示す。この景品交換システムは、複数のパチンコ店Ａ、Ｂ、Ｃ・・・と、景品管理センター１０とをインターネット等の通信回線１２で結んで構成される。この実施形態では、パチンコ店の特殊景品として金（ゴールド）を使用するが、特殊景品は金以外の貴金属例えば白金や銀などを使用することができる。
【００１８】
景品管理センター１０にはサーバー１４が設置される。サーバー１４は、各パチンコ店が顧客に配布したＩＤカードの登録事項を登録するＩＤカード登録手段１６と、ＩＤカードが登録されたものであることを確認するＩＤカード確認手段１８と、前記ＩＤカード別の金保有量を管理するＩＤカード別金量管理口座２０と、パチンコ店別の金保有量を管理する店別金量管理口座２２と、景品管理センター１０の金保有量を管理するセンター金量管理口座２４と有している。
【００１９】
各パチンコ店が顧客に配布するＩＤカードは、景品管理センター１０がカード毎にＩＤ番号を付与し、そのＩＤ番号をＩＤカード登録手段１６に登録した上で、各パチンコ店に提供する。ＩＤ番号にはパチンコ店の識別コードが含まれており、各パチンコ店には、そのパチンコ店の識別コードが入ったＩＤカードが提供される。これにより顧客に配布されたＩＤカードがどの店で配布されたものかが識別できるようになっている。ＩＤカードには店別の文字や図柄を印刷しておくとよい。ＩＤカードとしては、記録できる情報量が多く、偽造されにくいＩＣカードや光カードを使用することが好ましい。
【００２０】
またパチンコ店が顧客にＩＤカードを渡すときには、セキュリティ性を向上させるため、顧客の本人確認事項例えば暗唱番号がサーバー１４のＩＤカード登録手段１６が登録される。ＩＤカードはこの暗唱番号が登録されて初めて有効なものとなる。ＩＤカード確認手段１８は、店側端末から受信したＩＤカードのＩＤ番号及び暗唱番号を、ＩＤカード登録手段１６に登録されたＩＤ番号及び暗唱番号と照合して、ＩＤカードが正規に登録されたものであることを確認する。
【００２１】
各パチンコ店の端末としては、ＩＤカード所有者が獲得した玉数を当該ＩＤカードに記録する玉数記録端末２６と、ＩＤカード所有者が当該ＩＤカードに記録された玉数の全部又は一部をそれに応じた量の金と交換する景品交換端末２８と、ＩＤカード所有者がＩＤカード別金量管理口座２０に保有する金量の全部又は一部をそれに応じた額の現金と交換する景品売却端末３０とが設けられる。
【００２２】
パチンコ店の玉数記録端末２６は、顧客が獲得した玉を計数して記録することになるので、通常はパチンコ店の玉計数機があるカウンター等に設置することが好ましい。景品交換端末２８はパチンコ店内の適当な場所例えばカウンター等に設置される。景品売却端末３０はパチンコ店内又は店外の適当な場所に設置される。なお、玉数記録端末２６と景品交換端末２８と景品売却端末３０は、別々の装置であってもよいし、それぞれの機能を備えた１台の装置として構成されていてもよい。特に、景品交換端末２８と景品売却端末３０は、両者の機能を備えた１台の装置として構成されていれば、顧客としては景品交換と景品売却を１台の装置で行えるので便利である。
【００２３】
〔ＩＤカードへの玉数記録〕
この実施形態で使用するＩＤカードは、ＩＤカード所有者が獲得した玉数を記録できるＩＣカード等である。玉数記録端末２６がＩＤカードにＩＤカード所有者が獲得した玉数を記録するときは図２（Ａ）のような処理を行う。まず顧客がＩＤカードを挿入すると（Ｓ１１）、ＩＤカードのＩＤ番号を読み取り（Ｓ１２）、それをサーバー１４に送信する。次に顧客が暗唱番号を入力すると（Ｓ１３）、それをサーバー１４に送信する。サーバー１４のＩＤカード確認手段１８は、受信したＩＤ番号と暗唱番号をＩＤカード登録手段１６に照会してそのＩＤカードが登録されたものであることを確認し、確認結果を送信する。ＩＤカードが登録されたものであれば、獲得玉を計数し（Ｓ１５）、計数した玉数をＩＤカードに記録された玉数に加算して（Ｓ１５）、ＩＤカードに玉数残高を記録する（Ｓ１６）。なお、ＩＤカードに獲得玉数を記録するときは、（Ｓ１２）、（Ｓ１３）の処理を省略することもできる。獲得玉数、玉数残高は、図３のように玉数記録端末２６の画面に表示される。
【００２４】
ＩＤカードに蓄えられた玉は、ＩＤカード所有者が再びパチンコに使用できるようにするため、引出可能にすることが好ましい。ＩＤカード所有者がＩＤカードに記録された玉数の全部又は一部を引き出すときには、玉数記録端末２６は図２（Ｂ）のような処理を行う。まず（Ｓ２１）〜（Ｓ２３）の処理で、ＩＤカードが登録されたものであることを確認した後、顧客が引き出す玉数を入力する（２４）。次に入力された数の玉を玉出し機から出し（Ｓ２５）、その玉数をＩＤカードに記録された玉数から減算して（Ｓ２６）、ＩＤカードに玉数残高を記録する（Ｓ２７）。なお玉数引出の際にも、（Ｓ２２）、（Ｓ２３）の処理を省略することができる。引出玉数、玉数残高は、図３のように玉数記録端末２６の画面に表示される。
【００２５】
〔景品交換〕
次に、ＩＤカード所有者が当該ＩＤカードに記録された玉数の全部又は一部をそれに応じた量の金（景品）と交換する場合を説明する。このときは、サーバー１４及び景品交換端末２８は図４（Ａ）、（Ｂ）のような処理を行う。まず景品交換端末２８の（Ｓ１１）〜（Ｓ１３）の処理、及びそれに対応するサーバー１４の（Ｓ３１）〜（Ｓ３３）の処理は、図２の場合と同じである（図２ではサーバー１４側の処理を図示省略）。
【００２６】
景品交換端末２８がサーバー１４からＩＤカードの登録確認を受信すると（Ｓ１４）、顧客は景品交換の指示を入力し（Ｓ１５）、交換玉数を入力する（Ｓ１６）。サーバー１４は、景品交換の指示を受信し（Ｓ３４）、交換玉数を受信すると（Ｓ３５）、交換玉数に応じた金の重量を計算する（Ｓ３６）。この計算の際には、金市場の金価格を基準にすることが好ましい。そのためには図１に示すようにサーバー１４を金市場３２と通信回線で接続して、サーバー３２に金相場の情報が入るようにしておくとよい。算出された交換金量（玉数と交換する金の重量）は景品交換端末２８に送信され（Ｓ３７）、景品交換端末２８は交換金量を受信すると（Ｓ１７）、それを図５のように画面に表示する。
【００２７】
サーバー１４は、交換金量を送信した後、当該ＩＤカード配布店の店別金量管理口座２２から交換金量を引き出し（Ｓ３８）、それを当該ＩＤカードのＩＤカード別金量管理口座２０に加算する（Ｓ３９）。この処理は、パチンコ店が交換玉数に応じた重量の金を景品としてＩＤカード所有者に提供することである。なお各パチンコ店は景品管理センターに景品として必要な量の金を預けてある。このあとサーバー１４は、景品交換をしたＩＤカードの金量残高を景品交換端末２８に送信し（Ｓ４０）、景品交換端末２８はそれを受信して（Ｓ１８）、図５のように画面に表示する。
【００２８】
〔景品売却〕
次に、ＩＤカード所有者がＩＤカード別金量管理口座に保有する金の全部又は一部をそれに応じた額の現金と交換する（売却する）場合を説明する。このときは、サーバー１４及び景品売却端末３０は図６（Ａ）、（Ｂ）のような処理を行う。まず景品売却端末３０の（Ｓ１１）〜（Ｓ１４）の処理、及びそれに対応するサーバー１４の（Ｓ３１）〜（Ｓ３３）の処理は、図３の場合と同じである。
【００２９】
景品売却端末３０がサーバー１４からＩＤカードの登録確認を受信すると（Ｓ１４）、顧客は景品売却の指示を入力する（Ｓ１５）。サーバー１４は景品売却の指示を受信すると（Ｓ３４）、ＩＤカード別金量管理口座２０に当該ＩＤカードの金量残高を照会し（Ｓ３５）、その結果を景品売却端末３０に送信する（Ｓ３６）。景品売却端末３０は、金量残高を受信すると（Ｓ１６）、それを図７のように画面に表示する。顧客は画面で金量残高を確認して、売却金量を入力する。サーバー１４は売却金量を受信すると（Ｓ３７）、それに応じた売却金額を計算する（Ｓ３８）。この計算の際にも、金市場３２の金価格を基準にすることが好ましい。算出された売却金額は景品売却端末３０に送信され（Ｓ３９）、景品売却端末３０は売却金額を受信すると（Ｓ１８）、それを図７のように画面に表示し、顧客にその額の現金を支払う（Ｓ１９）。なお景品売却端末３０は一般的な自動現金支払機の形態である。
【００３０】
一方、サーバー１４は、売却金額を送信した後、当該ＩＤカードのＩＤカード別金量管理口座２０から売却金量を引き出し（Ｓ４０）、その金量をセンター金量管理口座２２に加算する（Ｓ４１）。これで、パチンコ店が顧客に景品として提供した金が、景品管理センター１０に買い取られたことになる。次にサーバー１４は、金を売却したＩＤカードの金量残高を景品売却端末３０に送信し（Ｓ４２）、景品売却端末３０はそれを受信して（Ｓ２０）、図７のように画面に表示する。このあとサーバー１４は、買い取った金量（売却金量）をセンター金量管理口座２２から引き出し、当該ＩＤカード配布店の店別金量管理口座２２に加算する処理を行う。この処理は、パチンコ店が顧客に景品として提供した金を、景品提供元のパチンコ店が買い戻すことを意味する。このようにすると、パチンコ店の保有する金が、景品として顧客に渡り、景品管理センターに買い取られて、元に戻ってくるため、パチンコ店の金保有量を少なくすることができる。
【００３１】
このシステムでは、景品売却端末３０で顧客に支払われる現金は景品管理センターが供給し、パチンコ店は景品管理センターから買い戻した金量に相当する現金を景品管理センターに支払うことになる。通常は、景品交換のあと短時間のうちに景品売却が行われるため、景品管理センターが顧客に支払う金額と、パチンコ店が景品管理センターに支払う金額はほぼ等しくなる。
【００３２】
なお、図６の（Ｓ４３）、（Ｓ４４）の処理は、景品売却があったときにその都度行ってもよいし、景品管理センターが買い取った金量を一定時間毎に集計してバッチ処理で行ってもよい。
【００３３】
〔実施形態２〕
図８は本発明の他の実施形態を示す。実施形態１では、顧客が獲得した玉数をＩＤカードに記録したが、この実施形態２は、顧客が獲得した玉数を景品管理センターのサーバー１４に記録する場合である。このためサーバー１４には、ＩＤカード登録手段１６、ＩＤカード確認手段１８、店別金量管理口座２２、ＩＤカード別金量管理口座２０の他に、ＩＤカード別の保有玉数を管理するＩＤカード別玉数管理口座３４が設けられる。またこの場合の各パチンコ店の玉数記録端末２６は、インターネット１２を介してサーバー１４のＩＤカード別玉数管理口座３４に玉数を記録する処理を行う。
【００３４】
すなわち、サーバー１４は、 パチンコ店の玉数記録端末２６からＩＤカードの登録事項と獲得玉数を受信したときは、ＩＤカード確認手段１８により当該ＩＤカードが登録されたものであることを確認した上で、その玉数を当該ＩＤカードのＩＤカード別玉数管理口座３２に加算する処理を行う。
【００３５】
またこの場合も、ＩＤカード別玉数管理口座３２に蓄えられた玉は、ＩＤカード所有者が再びパチンコに使用できるようにするため、引出可能にすることが好ましい。そのためには、ＩＤカード所有者がＩＤカード別玉数管理口座３４に記録された玉数の全部又は一部を引き出すときには、当該ＩＤカードが登録されたものであることを確認した上で、引出玉数を当該ＩＤカードのＩＤカード別玉数管理口座３４から差し引く処理を行えばよい。
【００３６】
上記以外の構成及び処理内容は実施形態１と同様であるので、図１と同一部分には同一符号を付して説明を省略する。
【００３７】
〔実施形態３〕
図９は本発明のさらに他の実施形態を示す。実施形態１では、顧客が売却した金量を、景品管理センターが買い取り、それを景品提供元のパチンコ店が買い戻す処理を行ったが、この実施形態３は、顧客の売却金量を、景品管理センターを介さずに、景品提供元のパチンコ店が買い取る処理を行うものである。
【００３８】
図９は、この場合のサーバー１０及び景品売却端末３０の処理を示したものである。景品売却端末３０の処理は図６と同じである。サーバー１０のステップ（Ｓ４０）までの処理も図６と同じである。サーバー１０は、金を売却するＩＤカード所有者のＩＤカード別金量管理口座２０から売却金量を引き出すと（Ｓ４０）、その売却金量を当該ＩＤカード配布店の店別金量管理口座２２に加算する処理を行う（Ｓ４１）。これで、パチンコ店が顧客に景品として提供した金が、景品提供元のパチンコ店に買い戻されたことになる。この場合、景品売却端末３０で顧客に支払われる現金は、パチンコ店が供給することになる。その後、売却後の金量残高を景品売却端末３０に送信すること（Ｓ４２）も図６と同じである。
【図面の簡単な説明】
【００３９】
【図１】本発明に係る景品交換システムの一実施形態を示す全体構成図。
【図２】図１の景品交換システムにおける玉数記録端末の、（Ａ）はＩＤカードへの獲得玉数記録処理のフロー図、（Ｂ）はＩＤカードへの引出玉数記録処理のフロー図。
【図３】図１の景品交換システムにおける玉数記録端末の説明図。
【図４】図１の景品交換システムにおける景品交換時の、（Ａ）はサーバーの処理のフロー図、（Ｂ）は景品交換端末の処理のフロー図。
【図５】図１の景品交換システムにおける景品交換端末の説明図。
【図６】図１の景品交換システムにおける景品売却時の、（Ａ）はサーバーの処理のフロー図、（Ｂ）は景品売却端末の処理のフロー図。
【図７】図１の景品交換システムにおける景品売却端末の説明図。
【図８】本発明に係る景品交換システムの他の実施形態を示す全体構成図。
【図９】本発明に係る景品交換システムのさらに他の実施形態における、（Ａ）はサーバーの処理のフロー図、（Ｂ）は景品売却端末の処理のフロー図。
【符号の説明】
【００４０】
１０：景品管理センター
１２：インターネット
１４：サーバー
１６：ＩＤカード登録手段
１８：ＩＤカード確認手段
２０：ＩＤカード別金量管理口座
２２：店別金量管理口座
２４：センター金量管理口座
２６：玉数記録端末
２８：景品交換端末
３０：景品売却端末
３２：金市場
３４：ＩＤカード別玉数管理口座
【図１】
2006263267.tif 000003
【図２】
2006263267.tif 000004
【図３】
2006263267.tif 000005
【図４】
2006263267.tif 000006
【図５】
2006263267.tif 000007
【図６】
2006263267.tif 000008
【図７】
2006263267.tif 000009
【図８】
2006263267.tif 000010
【図９】
2006263267.tif 000011